(57)【要約】【課題】実際の測定時刻とは相違する時刻の測定データとして扱われる事態を招くことなく、製造コストを低減し、データ送信に要する時間を短縮する。【解決手段】測定間隔データを含む測定条件データＤ０を記録させる第１の処理（ステップ３１）と、複数の領域Ａのうちの１つを記録対象領域として測定部からの出力順を特定可能に測定データＤ１を記録対象領域に記録させる第２の処理（ステップ３７）と、記録対象領域に記録された各データＤ１のうちの出力順が最も早いデータＤ１の測定時刻を特定可能な測定時刻データを記録対象領域に関連付けて記録させる第３の処理（ステップ３２）とを実行すると共に、記録対象領域の記録可能容量が予め規定された容量を下回ったとき（ステップ３５）、および時刻補正処理５０を実行したときに、データＤ１が未記録の領域Ａを新たな記録対象領域として（ステップ３８）、上記の第２の処理および第３の処理を実行する。【選択図】図２
2013152172.tif 000002
【特許請求の範囲】
【請求項１】
予め規定されたパラメータを測定して測定データを出力する測定処理を実行する測定部と、前記測定データが記録される記録部と、時刻データを出力する内部時計と、取得した時刻補正データに基づいて前記内部時計の時刻を補正する時刻補正処理、および前記時刻データに基づいて現在時刻を特定すると共に前記測定部を制御して予め設定された時間間隔で前記測定処理を実行させて当該測定部から出力された前記測定データを前記記録部に記録させる記録処理を実行する制御部とを備えた測定データ記録装置であって、
前記制御部は、前記記録処理において、前記測定部に対して前記測定処理を実行させる前記時間間隔を特定可能な測定間隔データを前記記録部に記録させる第１の処理と、前記記録部を区分けした複数のデータ記録領域のうちの１つを記録対象領域として前記測定部からの出力順を特定可能に前記測定データを当該記録対象領域に記録させる第２の処理と、前記記録対象領域に記録された前記複数の測定データのうちの前記出力順が最も早い当該測定データの測定時刻を特定可能な測定時刻データを当該記録対象領域に関連付けて前記記録部に記録させる第３の処理とを実行すると共に、前記記録対象領域の記録可能容量が予め規定された容量を下回ったとき、および前記時刻補正処理を実行したときに、前記複数のデータ記録領域のうちの前記測定データが未記録の１つを新たな前記記録対象領域として前記第２の処理および前記第３の処理を実行する測定データ記録装置。
【請求項２】
前記記録部は、複数のイレーズブロックを有するフラッシュメモリを備えて構成され、
前記制御部は、Ｎ個（Ｎは自然数）の前記イレーズブロックでそれぞれ構成された前記各データ記録領域に前記測定データを記録させる請求項１記載の測定データ記録装置。
【請求項３】
前記制御部は、前記第３の処理に際して前記測定時刻データを前記記録対象領域内の予め規定されたアドレスに記録させる請求項１または２記載の測定データ記録装置。
【請求項４】
請求項１から３のいずれかに記載の測定データ記録装置と、当該測定データ記録装置から前記各測定データを回収するための測定データ回収装置とを備えている測定データ記録システム。
【請求項５】
前記測定データ回収装置は、前記測定データ記録装置に前記時刻補正データを送信可能に構成され、
前記測定データ記録装置は、前記測定データ回収装置から前記時刻補正データが送信されたときに前記時刻補正処理を開始する請求項４記載の測定データ記録システム。
【発明の詳細な説明】
【技術分野】
【０００１】
本発明は、測定処理を実行して測定データを記録部に記録する測定データ記録装置、および測定データ記録装置と測定データ回収装置とを備えた測定データ記録システムに関するものである。
【背景技術】
【０００２】
この種の測定データ記録装置を備えた測定データ記録システムとして、特開平７−１３１５４４号公報に遠隔監視システム（以下、「監視システム」ともいう）が開示されている。この監視システムは、監視対象体についての測定処理（上記公開公報における「計測処理」）を指定時刻に実行する複数の測定データ記録装置（上記公開公報における「リモート装置」）と、各測定データ記録装置を統括管理するセンタ装置とを備えて構成されている。
【０００３】
また、この監視システムでは、各測定データ記録装置は、測定処理によって取得した測定データ（上記公開公報における「日報データ」）を測定処理の実行時刻に関連付けて記録するメモリを備えると共に、センタ装置からの要求に応じてメモリから測定データを読み出してセンタ装置に送信する構成が採用されている。さらに、この監視システムでは、各測定データ記録装置毎の時刻のばらつきを補正するために、センタ装置が、測定データの送信要求時に各測定データ記録装置に対して時刻データを送信し、各測定データ記録装置が、送信された時刻データに基づいて内部時計の時刻を補正する処理（以下、「時刻補正処理」ともいう）を実行する構成が採用されている。
【０００４】
この場合、この監視システムでは、時刻補正処理に際して、次回の測定処理の実行時刻よりも後の時刻に内部時計の時刻を進める必要があるときに、測定データ記録装置が、時刻補正処理に先立って測定処理を実行して、その測定データをメモリに記録した後に時刻補正処理を実行する。また、この監視システムでは、時刻補正処理に際して、既に測定処理が完了している時刻よりも前の時刻に内部時計の時刻を戻す必要があるときに、測定データ記録装置が、時刻補正処理を実行した後の測定処理において、その測定データを、直前に実行した測定処理に際して測定データを記録したアドレスに上書きする。これにより、測定処理を中断させることなく、各測定データ記録装置の時刻とセンタ装置の時刻とをそれぞれ一致させることが可能となっている。
【先行技術文献】
【特許文献】
【０００５】
【特許文献１】特開平７−１３１５４４号公報（第３−４頁、第１−８図）
【発明の概要】
【発明が解決しようとする課題】
【０００６】
ところが、従来の測定データ記録装置および監視システムには、以下の問題点が存在する。すなわち、従来の監視システムでは、測定データ記録装置が測定処理の実行時刻に関連付けて測定データを記録する構成が採用されている。この場合、この種の測定データ記録システムの用途としては、従来の監視システムのように１日数回程度の時間間隔で測定処理を実行させて測定データを記録させるといった用途（メモリに記録させる測定データの数が比較的少数である使用形態）だけでなく、例えば数分間隔で測定処理を実行させて測定データを記録させるといった用途（メモリに記録させる測定データの数が比較的多数である使用形態）も存在する。
【０００７】
しかしながら、従来の監視システムにおける測定データ記録装置のように、数分間隔での測定処理の実行に際して、測定処理を実行する都度、その測定処理の実行時刻（以下、「測定時刻」ともいう）に関連付けて測定データを記録した場合には、測定処理の実行回数分の測定時刻のデータ（以下、「測定時刻データ」ともいう）がメモリに記録されて、この数多くの測定時刻データの記録によってメモリの記憶可能容量が減少することとなる。したがって、従来の監視システムでは、比較的短い時間間隔で測定処理を実行して数多くの測定データをメモリに記録するために、記憶容量が大きいメモリを搭載する必要があり、これに起因して、その製造コストの低減が困難になっているという問題点がある。また、従来の監視システムでは、測定処理毎に、測定時刻を関連付けた（測定時刻データが一体となった）サイズが大きい測定データが測定データ記録装置によって生成されるため、このサイズが大きい測定データを測定データ記録装置からセンタ装置に送信するのに長時間を要するという問題点もある。
【０００８】
一方、上記の問題点を解決すべく、例えば、各測定処理に際しては、上記の測定時刻データを個別的に記録せずに、各測定処理の結果だけを測定データとしてそれぞれ記録する（測定データを測定時刻に関連付けずに記録する）と共に、これらの測定データに関連付けて、最初の測定処理の実行時刻（一連の測定処理の開始時刻）と、各測定処理を実行する時間間隔とを記録する構成の測定データ記録装置が提案されている。このような構成を採用することにより、各測定処理毎に測定時刻データが記録される従来の監視システムにおける測定データ記録装置と比較して、数多くの測定処理を実行した場合においても、多数の測定時刻データの記録によってメモリの記憶可能容量が過剰に減少する事態が回避される。しかしながら、このような構成を採用した測定データ記録装置において従来の監視システムの測定データ記録装置における時刻補正処理時の記録手順と同様の手順で測定データを記録する構成を採用したときには、時刻補正後に実行した測定処理の測定データが、実際の測定時刻とは相違する時刻の測定データとして扱われる事態を招くことがあるという問題点が存在する。
【０００９】
具体的には、従来の監視システムにおける測定データ記録装置と同様の記録手順で測定データを記録する測定データ記録装置に対して、例えば２分間隔で測定処理を実行する旨の動作条件が設定され（測定処理を実行すべき時間間隔が２分の例）、かつ、この測定データ記録装置が４分の遅れが生じている状態において、例えば、「０７：０２」の測定処理の完了後、１分が経過した時点において時刻補正処理を実行する場合には、測定データ記録装置を４分進めることで未実施となる測定処理の回数が２回であるにも拘わらす、時刻補正処理の開始に先立って実行される測定処理が１回だけのため、１回分の測定データが欠落した状態となる。したがって、この例では、一連の測定処理が完了した時点において、最初の測定処理を実行した時刻（一連の測定処理の開始時刻）と、各測定処理を実行する時間間隔とに基づいて各測定データの測定時刻を特定したときに、時刻補正後に実行した各測定処理の測定データのすべてが、実際の測定時刻（補正後の時刻）に対する２分前の測定時刻の測定データとして扱われることとなる。
【００１０】
具体的には、例えば、時刻補正処理に際して「０７：０３」を「０７：０７」に補正する場合には、「０７：０２」までの測定データが既に記録された状態となっている。このため、時刻補正処理に際して実行される測定処理の測定データは、後に、「０７：０４」に実行された測定処理の測定データとして扱われることとなる。また、時刻補正処理後に最初に実行された測定処理の測定データは、時刻補正処理に際して実行された測定処理の測定データが「０７：０４」に実行された測定処理の測定データとして取り扱われることに起因して、実際には、「０７：０８」に実行された測定処理の測定データであるにも拘わらす、「０７：０６」に実行された測定処理の測定データとして扱われることとなる。同様にして、時刻補正処理後の「０７：１０」以降、２分間隔で繰り返して実行された各測定処理の測定データについても、測定処理が実際に実行された時刻の２分前の測定データとして扱われることとなる。
【００１１】
また、従来の監視システムにおける測定データ記録装置と同様の記録手順で測定データを記録する測定データ記録装置に対して、例えば２分間隔で測定処理を実行する旨の動作条件が設定され（測定処理を実行すべき時間間隔が２分の例）、かつ、この測定データ記録装置に４分の進みが生じている状態において、例えば、「０７：０４」の測定処理の完了後、１分が経過した時点において測定データ記録装置の時刻を４分戻したときには、この時刻補正処理後に最初に実行される測定処理（「時刻補正処理の直前に実行された測定処理の２分前に実行された測定処理」と同じ時刻に対応して実行される測定処理）によって生成される測定データが、時刻補正処理の直前に実行された測定処理の測定データのアドレスに上書きされる。より具体的には、例えば、時刻補正処理に際して「０７：０５」を「０７：０１」に補正する場合には、「０７：０４」までの測定データが既に記録された状態となっている。このため、時刻補正処理後の「０７：０２」に実行される測定処理の測定データは、時刻補正処理前の「０７：０４」に実行された測定処理の測定データのアドレスに上書きされることとなる。
【００１２】
したがって、この例では、「時刻補正処理の３分前」に対応する時刻（この例では、「０７：０２」）の測定データが重複して記録されこととなる。このため、この例では、一連の測定処理が完了した時点において、最初の測定処理を実行した時刻（一連の測定処理の開始時刻）と、各測定処理を実行する時間間隔とに基づいて各測定データの測定時刻を特定したときに、時刻補正後に実行した各測定処理の測定データのすべてが、実際の測定時刻（補正後の時刻）に対する２分後の測定時刻の測定データとして扱われることとなる。具体的には、時刻補正処理後に最初に実行された測定処理の測定データは、実際には、「０７：０２」に実行された測定処理の測定データであるにも拘わらず、時刻補正処理前の「０７：０２」に実行された測定処理の測定データが重複して存在することに起因して、「０７：０４」に実行された測定処理の測定データとして扱われることとなる。また、時刻補正処理後の「０７：０４」に実行された測定処理の測定データは、時刻補正処理後の「０７：０２」に実行された測定処理の測定データが「０７：０４」に実行された測定処理の測定データとして扱われることに起因して、「０７：０６」に実行された測定処理の測定データとして扱われることとなる。
【００１３】
本発明は、かかる問題点に鑑みてなされたものであり、実際の測定時刻とは相違する時刻の測定データとして扱われる事態を招くことなく、製造コストの低減、および測定データの送信に要する時間の短縮を図り得る測定データ記録装置および測定データ記録システムを提供することを主目的とする。
【課題を解決するための手段】
【００１４】
上記目的を達成すべく請求項１記載の測定データ記録装置は、予め規定されたパラメータを測定して測定データを出力する測定処理を実行する測定部と、前記測定データが記録される記録部と、時刻データを出力する内部時計と、取得した時刻補正データに基づいて前記内部時計の時刻を補正する時刻補正処理、および前記時刻データに基づいて現在時刻を特定すると共に前記測定部を制御して予め設定された時間間隔で前記測定処理を実行させて当該測定部から出力された前記測定データを前記記録部に記録させる記録処理を実行する制御部とを備えた測定データ記録装置であって、前記制御部は、前記記録処理において、前記測定部に対して前記測定処理を実行させる前記時間間隔を特定可能な測定間隔データを前記記録部に記録させる第１の処理と、前記記録部を区分けした複数のデータ記録領域のうちの１つを記録対象領域として前記測定部からの出力順を特定可能に前記測定データを当該記録対象領域に記録させる第２の処理と、前記記録対象領域に記録された前記複数の測定データのうちの前記出力順が最も早い当該測定データの測定時刻を特定可能な測定時刻データを当該記録対象領域に関連付けて前記記録部に記録させる第３の処理とを実行すると共に、前記記録対象領域の記録可能容量が予め規定された容量を下回ったとき、および前記時刻補正処理を実行したときに、前記複数のデータ記録領域のうちの前記測定データが未記録の１つを新たな前記記録対象領域として前記第２の処理および前記第３の処理を実行する。
【００１５】
また、請求項２記載の測定データ記録装置は、前記記録部は、複数のイレーズブロックを有するフラッシュメモリを備えて構成され、前記制御部は、Ｎ個（Ｎは自然数）の前記イレーズブロックでそれぞれ構成された前記各データ記録領域に前記測定データを記録させる。
【００１６】
さらに、請求項３記載の測定データ記録装置は、前記制御部は、前記第３の処理に際して前記測定時刻データを前記記録対象領域内の予め規定されたアドレスに記録させる。
【００１７】
また、請求項４記載の測定データ記録システムは、請求項１から３のいずれかに記載の測定データ記録装置と、当該測定データ記録装置から前記各測定データを回収するための測定データ回収装置とを備えている。
【００１８】
さらに、請求項５記載の測定データ記録システムは、前記測定データ回収装置は、前記測定データ記録装置に前記時刻補正データを送信可能に構成され、前記測定データ記録装置は、前記測定データ回収装置から前記時刻補正データが送信されたときに前記時刻補正処理を開始する。
【発明の効果】
【００１９】
請求項１記載の測定データ記録装置では、記録処理において、測定処理を実行させる時間間隔を特定可能な測定間隔データを記録部に記録させる第１の処理と、記録部を区分けした複数のデータ記録領域のうちの１つを記録対象領域として測定部からの出力順を特定可能に測定データを記録対象領域に記録させる第２の処理と、記録対象領域に記録された複数の測定データのうちの出力順が最も早い測定データの測定時刻を特定可能な測定時刻データをその記録対象領域に関連付けて記録部に記録させる第３の処理とを実行すると共に、記録対象領域の記録可能容量が予め規定された容量を下回ったとき、および時刻補正処理を実行したときに、複数のデータ記録領域のうちの測定データが未記録の１つを新たな記録対象領域として第２の処理および第３の処理を実行する。また、請求項４記載の測定データ記録システムは、上記の測定データ記録装置と、測定データ記録装置から各測定データを回収するための測定データ回収装置とを備えている。
【００２０】
したがって、請求項１記載の測定データ記録装置、および請求項４記載の測定データ記録システムによれば、１つの測定間隔データを記録すると共に、各測定データを記録するデータ記録領域毎に１つの測定時刻データを記録するだけで、各データ記録領域に記録した複数の測定データの測定時刻をそれぞれ特定することができるため、測定処理の実行回数分の数多くの測定時刻データがメモリに記録される従来の監視システム（測定データ記録装置）とは異なり、例えば数分間隔で測定処理を実行させて数多くの測定値を記録させる場合においても、測定値の測定時刻を特定させるための情報の記録によって記録部の記憶可能容量が過剰に減少することがないため、記憶容量が大きい記憶媒体が不要となる結果、その製造コストを十分に低減することができる。また、これらの各データを測定データ回収装置等に送信する場合には、測定値の測定時刻を特定させるための情報が少ないため、送信に要する時間を短縮することができる。さらに、各データ記録領域に関連付けた測定時刻データ、および、各測定データの測定時間間隔についての情報に基づいて、各データ記録領域内に記録した全ての測定データの測定時刻をそれぞれ特定することにより、測定データの記録処理中に時刻補正処理を実行したことに起因して、対応する測定データが存在しない測定時刻が生じたり、同一の測定時刻についての測定データの重複が生じたりしたとしても、すべての測定データについての測定時刻を正確に特定することができる。
【００２１】
請求項２記載の測定データ記録装置によれば、Ｎ個のイレーズブロックでそれぞれ構成された各データ記録領域に測定データを記録させることにより、測定時刻データや測定データを任意のデータ記録領域内に記録する際に、そのデータ記録領域以外のデータ記録領域に記録されている測定時刻データや測定データについてのイレーズ処理を行うことなく、その任意のデータ記録領域内に記録されている各データをイレーズするだけで、そのデータ記録領域内に新たな測定時刻データや測定データを確実に記録させることができる。
【００２２】
請求項３記載の測定データ記録装置によれば、第３の処理に際して測定時刻データを記録対象領域内の予め規定されたアドレスに記録させることにより、測定時刻データを関連付けたデータ記録領域を特定可能な情報（関連付け情報）を別途記録することなく、各データ記録領域に関連付けられている測定時刻データを確実に特定することができる。
【００２３】
請求項５記載の測定データ記録システムによれば、測定データ記録装置に時刻補正データを送信可能に測定データ回収装置を構成すると共に、測定データ回収装置から時刻補正データが送信されたときに時刻補正処理を開始するように測定データ記録装置を構成したことにより、例えば、測定データ回収装置と、測定データ記録装置に対して時刻補正データを送信して時刻補正処理を実行させる専用の装置とを別個に用意して構成した測定データ記録システムとは異なり、測定データ回収装置を携行するだけで、測定データ記録装置の時刻の補正、および測定データ記録装置からの測定データ等の回収の双方を実行することができる。
【図面の簡単な説明】
【００２４】
【図１】測定データ記録システム１００（測定データ記録装置１および測定データ回収装置２）のブロック図である。
【図２】測定データ記録装置１によって実行される測定データ記録処理３０のフローチャートである。
【図３】測定データ記録装置１における内部時計１２の現在時刻と、各測定処理によって生成された測定データＤ１の記録先との関係について説明するための説明図である。
【図４】図３に示す例における測定データＤ１の記録先について説明するための説明図である。
【図５】測定データ記録装置１の内部時計１２に遅れが生じた状態における測定データＤ１の記録先について説明するための説明図である。
【図６】図５に示す例における測定データＤ１の記録先について説明するための説明図である。
【図７】測定データ記録装置１の内部時計１２に進みが生じた状態における測定データＤ１の記録先について説明するための説明図である。
【図８】図７に示す例における測定データＤ１の記録先について説明するための説明図である。
【発明を実施するための形態】
【００２５】
以下、本発明に係る測定データ記録装置および測定データ記録システムの実施の形態について、添付図面を参照して説明する。
【００２６】
図１に示すように、測定データ記録システム１００は、測定データ記録装置１および測定データ回収装置２を備えて構成されている。なお、この測定データ記録システム１００は、複数台の測定データ記録装置１を備えて構成することもできるが、理解を容易とするために、１台の測定データ記録装置１、および１台の測定データ回収装置２で構成した例（１台の測定データ記録装置１、および１台の測定データ回収装置２を使用して測定データを記録する例）について以下に説明する。
【００２７】
測定データ記録装置１は、測定部１１、内部時計１２、内部メモリ１３、通信部１４、外部メモリ装着部１５、操作部１６、表示部１７および制御部１８を備えている。測定部１１は、予め規定されたパラメータを測定して測定データＤｓを出力する測定処理を実行する。具体的には、測定部１１は、一例として、図示しない温度センサに接続されると共に、周囲の温度の変化に応じて温度センサによって入力された信号の電気的パラメータ（温度センサに接続された一対の信号ケーブル間の電圧値）を測定して測定データＤｓとして出力する。内部時計１２は、現在時刻を計時して時刻データＤｔ１を出力する。
【００２８】
内部メモリ１３は、「記録部」の一例であって、一例としてフラッシュメモリを備えて構成されると共に、後述するように、制御部１８の制御に従って測定条件データＤ０、測定時刻データＤｔおよび測定データＤ１などを記録する。この場合、内部メモリ１３に採用されているフラッシュメモリは、複数のイレーズブロックを有している。また、本例の測定データ記録装置１では、後述するように、内部メモリ１３を区分けした第１領域Ａ１、第２領域Ａ２・・（「データ記録領域」の一例：図４，６，８参照：以下、区別しないときには「領域Ａ」ともいう）に測定時刻データＤｔおよび測定データＤ１などを記録する構成が採用されている。この場合、この測定データ記録装置１では、各領域ＡがＮ個（一例として、１個）のイレーズブロックでそれぞれ構成されるように内部メモリ１３を区分する構成が採用されている。
【００２９】
通信部１４は、後述するようにして、測定データ回収装置２から送信された時刻補正データＤｔ０や送信要求信号Ｓ０などを受信して制御部１８に転送すると共に、制御部１８の制御に従って、測定条件データＤ０、測定時刻データＤｔおよび測定データＤ１などを測定データ回収装置２に送信する。外部メモリ装着部１５は、既存のメモリカードＭ（リムーバブルメモリ）を装着可能に構成されると共に、制御部１８の制御に従い、装着されたメモリカードＭに対する各種記録データの記録および読み出しを実行する。操作部１６は、測定データＤ１の記録処理を開始／停止するためのスタート／ストップスイッチや測定データ記録装置１の動作条件を設定するための各種操作スイッチを備え、スイッチ操作に応じた操作信号を制御部１８に出力する。表示部１７は、一例として液晶表示パネルを備え、制御部１８の制御に従い、測定結果や、測定データ記録装置１の動作状態などの各種の文字情報を表示する。
【００３０】
制御部１８は、測定データ記録装置１を総括的に制御する。具体的には、制御部１８は、図２に示す測定データ記録処理３０（「記録処理」の一例）を実行して、測定データＤ１等を内部メモリ１３に記録させる。この場合、制御部１８は、上記の測定データ記録処理３０において、内部時計１２から出力された時刻データＤｔ１に基づいて現在時刻を特定すると共に、測定部１１を制御して予め設定された時間間隔で測定処理を実行させる。さらに、制御部１８は、測定処理によって測定部１１から出力された測定データＤｓに基づいて測定データ記録装置１の周囲（温度センサの周囲）の温度を演算して測定データＤ１を生成し、生成した測定データＤ１を内部メモリ１３に順次追記して記録させる処理を実行する。
【００３１】
この場合、制御部１８は、測定データ記録処理３０において、測定部１１に測定させる「予め規定されたパラメータ」の種類を特定可能な情報（一例として、「温度」の測定である旨を特定可能な「温度測定」との文字列）や、測定部１１に対して測定処理を実行させる時間間隔を特定可能な「測定間隔データ」を含んで生成した測定条件データＤ０を内部メモリ１３に記録させる「第１の処理」を実行する。また、制御部１８は、測定データ記録処理３０において、測定部１１から出力される測定データＤｓに基づいて生成した各測定データＤ１を複数の領域Ａのうちの１つに記録させる「第２の処理」を実行する。この場合、制御部１８は、「第２の処理」に際して、測定データＤ１を生成する基となる測定データＤｓの測定部１１からの出力順（すなわち、測定データＤ１の生成順）を特定可能に各測定データＤ１を記録させる。
【００３２】
さらに、制御部１８は、測定データ記録処理３０において、上記の１つの領域Ａに記録させた複数の測定データＤ１のうちの測定部１１からの測定データＤｓの出力順が最も早い測定データＤ１の測定時刻を特定可能な１つの測定時刻データＤｔを、その測定データＤ１を記録した領域Ａに関連付けて記録させる「第３の処理」とを実行する。この場合、本例の測定データ記録装置１では、上記の測定時刻データＤｔを、関連付けるべき領域Ａ内の第１レコード（「予め規定されたアドレス」の一例）に記録させることで、その領域Ａに測定時刻データＤｔを関連付ける構成が採用されている。
【００３３】
また、制御部１８は、領域Ａ内に測定データＤ１を記録することが可能なレコードが存在しなくなったとき（すなわち、領域Ａ内に測定データＤ１が未記録のレコードが存在しなくなったとき：「記録対象領域の記録可能容量が予め規定された容量を下回ったとき」との状態の一例）に、測定データＤ１の記録先を、測定データＤ１等が未記録の他の領域Ａに変更して、上記の「第２の処理」および「第３の処理」を実行する。また、制御部１８は、測定データ記録処理３０の実行中に時刻補正処理５０を実行したときに、最新の測定データＤ１が記録されているレコードの次のレコードに、その領域Ａ内において次の測定データＤ１が存在しないことを意味する終端記号（図６，８参照：一例として、「0x7FFF」等の文字列）を記録させた後に、測定データＤ１の記録先を、測定データＤ１等が未記録の他の領域Ａに変更して、上記の「第２の処理」および「第３の処理」を実行する。
【００３４】
なお、実際の領域Ａは、数十個の測定データＤ１を記録可能に多数のレコードが存在するが、記録処理についての理解を容易とするために、測定時刻データＤｔを記録するための１つのレコード（第１レコード）、および４つの測定データＤ１を記録可能な４つのレコード（第２レコードから第５レコード）の合計５つのレコードを有して１つの領域Ａが規定されている例について説明する。また、制御部１８は、上記の測定データ記録処理３０において、測定データ回収装置２から送信されて通信部１４によって受信された時刻補正データＤｔ０（「取得した時刻補正データ」の一例）に基づいて内部時計１２の時刻を補正する時刻補正処理５０を実行する。
【００３５】
一方、測定データ回収装置２は、ハードディスクドライブ２１、内部時計２２、内部メモリ２３、通信部２４、外部メモリ装着部２５、操作部２６、表示部２７および制御部２８を備えている。ハードディスクドライブ２１は、後述するようにして測定データ記録装置１から送信された測定条件データＤ０、測定時刻データＤｔおよび測定データＤ１に基づいて制御部２８によって生成された測定データＤ１０（測定データ記録装置１から回収した各測定データＤ１の値を整理したデータ）を記録する。内部時計２２は、現在時刻を計時して時刻データＤｔ２を出力する。内部メモリ２３は、測定データ記録装置１から送信された測定条件データＤ０、測定時刻データＤｔおよび測定データＤ１や、制御部２８の演算結果を一時的に記憶する。
【００３６】
通信部２４は、後述するようにして、制御部２８の制御に従って時刻補正データＤｔ０や送信要求信号Ｓ０を測定データ記録装置１に送信すると共に、測定データ記録装置１から送信された測定条件データＤ０、測定時刻データＤｔおよび測定データＤ１などを受信して制御部２８に転送する。外部メモリ装着部２５は、測定データ記録装置１の外部メモリ装着部１５と同様にして、既存のメモリカードＭ（リムーバブルメモリ）を装着可能に構成されると共に、制御部２８の制御に従い、装着されたメモリカードＭに対する各種記録データの記録および読み出しを実行する。操作部２６は、キーボードと、マウスなどのポインティングデバイスで構成されて、これらの操作に応じた操作信号を制御部２８に出力する。表示部２７は、一例として液晶表示パネルを備え、制御部２８の制御に従って各種表示画面を表示する。
【００３７】
制御部２８は、測定データ回収装置２を総括的に制御する。具体的には、制御部２８は、内部時計２２から取得した時刻データＤｔ２基づき、測定データ記録装置１の内部時計１２の時刻を補正するための時刻補正データＤｔ０を生成する。また、制御部２８は、通信部２４を制御して、測定データ記録装置１に時刻補正データＤｔ０を送信させる。さらに、制御部２８は、通信部２４を制御して測定データ記録装置１に送信要求信号Ｓ０を送信させると共に、測定データ記録装置１から送信された（通信部２４によって受信された）測定条件データＤ０、測定時刻データＤｔおよび測定データＤ１に基づいて測定データＤ１０を生成してハードディスクドライブ２１に記録させる。この場合、測定データ回収装置２は、一例として携帯型のパーソナルコンピュータで構成されている。なお、測定データ回収装置２に代えて、専用の測定データ回収装置（パーソナルコンピュータ等の汎用の装置を利用しない構成）を採用して測定データ記録システムを構成することもできる。
【００３８】
この測定データ記録システム１００によって測定対象体の温度を所定時間間隔で測定して記録する際には、一例として、測定データ記録装置１の操作部１６を操作することによって、測定データＤ１として記録する「パラメータ」の種類、記録処理の開始時刻、および測定時間間隔を設定する。この際には、記録するパラメータの種類として「温度（温度測定）」を選択すると共に、一例として、「ＹＹＹＹ年ＭＭ月ＤＤ日の０７：００（午前７時）」から「２分間隔」で「３０分間」に亘って複数回の測定処理を実行するように設定する。なお、詳細な説明を省略するが、測定データ回収装置２において予め生成した動作条件（記録条件）を測定データ回収装置２から測定データ記録装置１に転送して、下記の測定データ記録処理３０を実行させることもできる。
【００３９】
次いで、操作部１６のスタート／ストップスイッチを操作する。これに応じて、制御部１８が、図２に示す測定データ記録処理３０を開始する。この測定データ記録処理３０では、制御部１８は、まず、設定された条件に基づき、選択された「パラメータ」が「温度（温度測定）」で、測定時間間隔が「２分（２分間隔）」であると特定可能に測定条件データＤ０を生成して、図４に示すように、一例として、生成した測定条件データＤ０を内部メモリ１３の先頭アドレスに記録させる（ステップ３１）。なお、同図では、測定時刻データＤｔや測定データＤ１などが記録された状態を図示しているが、測定データ記録処理３０の開始直後には、各領域Ａ内に測定時刻データＤｔや測定データＤ１等が未記録の状態となっている。次いで、制御部１８は、第１領域Ａ１に記録する各測定データＤ１のうちの最初の測定データＤ１の測定時刻（すなわち、最初の測定処理によって測定部１１から出力される測定データＤｓに基づいて生成される測定データＤ１の生成時刻：この例では、「０７：００」）を測定時刻データＤｔとして第１領域Ａ１の第１レコードに記録させる（ステップ３２）。
【００４０】
また、制御部１８は、内部時計１２から出力される時刻データＤｔ１に基づいて現在時刻を特定して、測定部１１に測定処理を実行させる時刻（以下、単に「測定処理の実行時刻」ともいう：この例では「０７：００」）が到来したか否かを判別する（ステップ３３）。この際には、測定処理の実行時刻が到来していないと判別し、制御部１８は、測定データ回収装置２から時刻補正データＤｔ０が送信されたか否かの判別（ステップ３４）、第１領域Ａ１内に測定データＤ１を記録可能なレコードが存在するか否かの判別（ステップ３５）、および処理終了条件が満たされたか否かの判別（終了時刻の到来、または、スタート／ストップスイッチの操作の有無の判別：ステップ３６）を実行して、上記のステップ３３に戻って測定処理の実行時刻が到来したか否かを再び監視する。
【００４１】
一方、最初の測定処理の実行時刻である「０７：００」が到来したときに（ステップ３３）、制御部１８は、測定部１１を制御して測定処理を実行させる。この際に、測定部１１は、温度センサに接続された一対の信号ケーブル間の電圧値を測定して測定データＤｓとして出力する。また、制御部１８は、測定部１１から出力された測定データＤｓに基づいて測定データ記録装置１の周囲（温度センサの周囲）の温度を演算して、図３，４に示すように、演算結果（測定値：この例では「２０．２℃」）を測定データＤ１として生成して内部メモリ１３における第１領域Ａ１を「記録対象領域」として、この第１領域Ａ１の第２レコードに記録させる（ステップ３７）。次いで、制御部１８は、上記のステップ３４，３５，３６を順次実行して、ステップ３３に戻って測定処理の実行時刻が到来したか否かを再び監視する。
【００４２】
また、２回目の測定処理の実行時刻である「０７：０２」が到来したときに（ステップ３３）、制御部１８は、測定部１１を制御して測定処理を実行させる。これにより、図３，４に示すように、演算結果（この例では「２０．２℃」）が測定データＤ１として内部メモリ１３における第１領域Ａ１の第３レコードに記録される（ステップ３７）。次いで、制御部１８は、上記のステップ３４，３５，３６を順次実行して、ステップ３３に戻って測定処理の実行時刻が到来したか否かを再び監視する。さらに、「０７：０４」が到来したとき、および「０７：０６」が到来したときに、制御部１８は、上記の最初の測定処理時、および２回目の測定処理時と同様にして、測定部１１を制御して測定処理を実行させる。これにより、図３，４に示すように、演算結果（この例では「２０．３℃」および「２０．４℃」）が測定データＤ１として内部メモリ１３における第１領域Ａ１の第４レコード、および第１領域Ａ１の第５レコードにそれぞれ記録される（ステップ３７）。
【００４３】
また、４回目の測定処理（測定データＤ１の記録）が完了したときに、制御部１８は、上記のステップ３４を実行した後に、第１領域Ａ１内に測定データＤ１を記録可能なレコードが存在しないと判別する（ステップ３５）。この際に、制御部１８は、まず、次の測定処理時に生成される測定データＤ１の記録先を、測定データＤ１が未記録の他の領域Ａ（この例では、第２領域Ａ２）に変更する（第２領域Ａ２を新たな「記録対象領域」とする：ステップ３８）。次いで、制御部１８は、第２領域Ａ２に記録する各測定データＤ１のうちの最初の測定データＤ１の測定時刻（すなわち、次の測定処理によって測定部１１から出力される測定データＤｓに基づいて生成される測定データＤ１の生成時刻：この例では、「０７：０８」）を測定時刻データＤｔとして第２領域Ａ２の第１レコードに記録させた後に（ステップ３２）、上記のステップ３３に戻って測定処理の実行時刻が到来したか否かを再び監視する。
【００４４】
この後、制御部１８は、測定処理の実行時刻が到来する都度、測定部１１を制御して測定処理を実行させて、測定部１１から出力された測定データＤｓに基づく測定データＤ１を内部メモリ１３に順次記録させる。これにより、図３，４に示すように、「０７：０８」、「０７：１０」、「０７：１２」および「０７：１４」の各測定データＤ１が第２領域Ａ２内にそれぞれ記録されると共に、第３領域Ａ３に記録する各測定データＤ１のうちの最初の測定データＤ１の測定時刻を示す測定時刻データＤｔが第３領域Ａ３の第１レコードに記録され、かつ、「０７：１６」、「０７：１８」、「０７：２０」および「０７：２２」の各測定データＤ１が第３領域Ａ３内にそれぞれ記録される。
【００４５】
この場合、この測定データ記録装置１では、前述したように、各領域ＡがＮ個（本例では、１個）のイレーズブロックで構成されている。したがって、例えば、第２領域Ａ２内に測定データＤ１を記録させる（追記する）ときには、この第２領域Ａ２以外の領域Ａに記録されている測定時刻データＤｔや測定データＤ１をイレーズすることなく、第２領域Ａ２内に記録されている測定時刻データＤｔや測定データＤ１だけをイレーズすることで、第２領域Ａ２内に新たな測定データＤ１を追記することが可能となっている。
【００４６】
この後、終了時刻である「０７：３０」が到来したとき、または、スタート／ストップスイッチが操作されたときに、制御部１８は、処理終了条件が満たされたと判別して（ステップ３６）、その時点において測定データＤ１の記録先としている領域Ａの空白のレコード（図示せず）に終端記号を記録して（ステップ３９）、この測定データ記録処理３０を終了する。この場合、本例の測定データ記録装置１では、処理終了条件が満たされた時点における「記録対象領域」としての領域Ａ内に測定データＤ１が１つだけ記録されているとき（すなわち、測定データＤ１が第２レコードだけに記録されているとき）に、上記のステップ３９において、その領域Ａの第３レコードに終端記号が記録され、例えば、「記録対象領域」としての領域Ａ内に測定データＤ１が２つ記録されているとき（すなわち、測定データＤ１が第２レコードおよび第３レコードに記録されているとき）に、上記のステップ３９において、その領域Ａの第４レコードに終端記号が記録される。
【００４７】
一方、この測定データ記録システム１００では、測定データ記録装置１の内部時計１２の時刻を測定データ回収装置２の内部時計２２の時刻に合わせるようにして補正することができる。具体的には、時刻補正すべき測定データ記録装置１と測定データ回収装置２とを通信可能状態に接続した後に（測定データ記録装置１の通信部１４と測定データ回収装置２の通信部２４との接続を確立した後に）、測定データ回収装置２の操作部２６を操作して、時刻補正の開始を指示する。この際に、測定データ回収装置２の制御部２８は、内部時計２２から出力された時刻データＤｔ２に基づいて時刻補正データＤｔ０を生成すると共に、通信部２４を制御して時刻補正データＤｔ０を測定データ記録装置１に送信させる。
【００４８】
また、測定データ記録装置１の制御部１８は、測定データ回収装置２から送信された時刻補正データＤｔ０が通信部１４によって受信されたときに（「時刻補正データが送信されたとき」の一例）、時刻補正処理５０を開始する。この時刻補正処理５０では、制御部１８は、内部時計１２から出力された時刻データＤｔ１に基づいて特定した現在時刻と、通信部１４によって受信された時刻補正データＤｔ０によって指定された時刻とを対比して、その時間差が予め規定された時間を超えて大きいときに、内部時計１２の現在時刻を、時刻補正データＤｔ０によって指定された時刻に補正する。これにより、測定データ記録装置１の内部時計１２の時刻と測定データ回収装置２の内部時計２２の時刻とが一致して、時刻補正処理５０が完了する。
【００４９】
この場合、この種の測定データ記録システム１００の使用時には、測定データ記録装置１において前述の測定データ記録処理３０を実行させている最中に、測定データ記録装置１の現在時刻を補正する必要が生じることがある。具体的には、一例として、前述した一連の測定処理と同様の条件が設定されて、測定データ記録装置１において測定データ記録処理３０が実行されているときに、図６に示すように、「０７：００」の測定処理によって生成された測定データＤ１、および「０７：０２」の測定処理によって生成された測定データＤ１が、第１領域Ａ１の第２レコードおよび第３レコードにそれぞれ記録された状態において、図５に示すように、内部時計１２の時刻（補正前の時刻）が「０７：０３」の時点において測定データ回収装置２から時刻補正データＤｔ０が送信されて、この時刻補正データＤｔ０が「現在時刻を０７：０７に補正せよ」との内容であったものとする（内部時計１２の時刻に４分の遅れが生じている状態の例）。
【００５０】
この際に、制御部１８は、測定データ回収装置２から時刻補正データＤｔ０が送信されたと判別して（ステップ３４）、前述した時刻補正処理５０を実行する。これにより、測定データ記録装置１の内部時計１２の時刻と測定データ回収装置２の内部時計２２の時刻とが一致して、内部時計１２の現在時刻が「０７：０７」に補正される。次いで、制御部１８は、その時点において測定データＤ１の記録先としている領域Ａの空白のレコード（この例では、第１領域Ａ１の第４レコード）に終端記号を記録する（ステップ４０）。この場合、本例とは相違するが、時刻補正処理５０を実行した時点における「記録対象領域」としての領域Ａ内に測定データＤ１が１つだけ記録されているとき（すなわち、測定データＤ１が第２レコードだけに記録されているとき）には、上記のステップ４０において、その領域Ａの第３レコードに終端記号が記録される。
【００５１】
次いで、制御部１８は、次の測定処理時に生成される測定データＤ１の記録先を、測定データＤ１が未記録の他の領域Ａ（この例では、第２領域Ａ２）に変更する（第２領域Ａ２を「新たな記録対象領域」とする：ステップ３８）。続いて、制御部１８は、第２領域Ａ２に記録する各測定データＤ１のうちの最初の測定データＤ１の測定時刻（すなわち、次の測定処理によって測定部１１から出力される測定データＤｓに基づいて生成される測定データＤ１の生成時刻）を測定時刻データＤｔとして第２領域Ａ２の第１レコードに記録させる（ステップ３２）。この際には、内部時計１２の現在時刻が「０７：０７」に補正されたことにより、次の測定処理の実行時刻が「０７：０８」となるため、制御部１８は、図６に示すように、「０７：０８」との時刻を測定時刻データＤｔとして記録させる。また、制御部１８は、「０７：０８」が到来したときに（ステップ３３）、測定部１１を制御して測定処理を実行させて、測定部１１から出力された測定データＤｓに基づく測定データＤ１を第２領域Ａ２の第２レコードに記録させる（ステップ３７）。
【００５２】
この後、制御部１８は、測定処理の実行時刻が到来する都度、測定部１１を制御して測定処理を実行させて、測定部１１から出力された測定データＤｓに基づく測定データＤ１を内部メモリ１３に順次記録させる。これにより、図６に示すように、「０７：１０」、「０７：１２」および「０７：１４」の測定データＤ１が第２領域Ａ２内にそれぞれ記録されると共に、第３領域Ａ３に記録する各測定データＤ１のうちの最初の測定データＤ１の測定時刻（この例では、「０７：１６」）を示す測定時刻データＤｔが第３領域Ａ３の第１レコードに記録され、かつ、「０７：１６」、「０７：１８」、「０７：２０」および「０７：２２」の測定データＤ１が第３領域Ａ３内にそれぞれ記録される。また、終了時刻である「０７：３０」が到来したとき、または、スタート／ストップスイッチが操作されたときに、制御部１８は、処理終了条件が満たされたと判別して（ステップ３６）、その時点において測定データＤ１の記録先としている領域Ａの空白のレコードに終端記号を記録して（ステップ３９）、この測定データ記録処理３０を終了する。
【００５３】
また、上記の例は、内部時計１２の時刻に４分の遅れが生じていた例であるが、内部時計１２の時刻に進みが生じている場合もある。具体的には、具体的には、一例として、上記の一連の測定処理と同様の条件が設定されて、測定データ記録装置１において測定データ記録処理３０が実行されているときに、図８に示すように、「０７：００」の測定処理によって生成された測定データＤ１、「０７：０２」の測定処理によって生成された測定データＤ１、および「０７：０４」の測定処理によって生成された測定データＤ１が、第１領域Ａ１の第２レコードから第４レコードにそれぞれ記録された状態において、図７に示すように、内部時計１２の時刻（補正前の時刻）が「０７：０５」の時点において測定データ回収装置２から時刻補正データＤｔ０が送信されて、この時刻補正データＤｔ０が「現在時刻を０７：０１に補正せよ」との内容であったものとする（内部時計１２の時刻に４分の進みが生じている状態の例）。
【００５４】
この際に、制御部１８は、測定データ回収装置２から時刻補正データＤｔ０が送信されたと判別して（ステップ３４）、時刻補正処理５０を実行する。これにより、測定データ記録装置１の内部時計１２の時刻と測定データ回収装置２の内部時計２２の時刻とが一致して、内部時計１２の現在時刻が「０７：０１」に補正される。次いで、制御部１８は、その時点において測定データＤ１の記録先としている領域Ａの空白のレコード（この例では、第１領域Ａ１の第５レコード）に終端記号を記録すると共に（ステップ４０）、次の測定処理時に生成される測定データＤ１の記録先を、測定データＤ１が未記録の他の領域Ａ（この例では、第２領域Ａ２）に変更する（第２領域Ａ２を「新たな記録対象領域」とする：ステップ３８）。
【００５５】
次いで、制御部１８は、第２領域Ａ２に記録する各測定データＤ１のうちの最初の測定データＤ１の測定時刻（すなわち、次の測定処理によって測定部１１から出力される測定データＤｓに基づいて生成される測定データＤ１の生成時刻）を測定時刻データＤｔとして第２領域Ａ２の第１レコードに記録させる（ステップ３２）。この際には、内部時計１２の現在時刻が「０７：０１」に補正されたことにより、次の測定処理の実行時刻が「０７：０２」となるため、制御部１８は、図８に示すように、「０７：０２」との時刻を測定時刻データＤｔとして記録させる。また、制御部１８は、「０７：０２」が到来したときに（ステップ３３）、測定部１１を制御して測定処理を実行させて、測定部１１から出力された測定データＤｓに基づく測定データＤ１を第２領域Ａ２の第２レコードに記録させる（ステップ３７）。
【００５６】
この後、制御部１８は、測定処理の実行時刻が到来する都度、測定部１１を制御して測定処理を実行させて、測定部１１から出力された測定データＤｓに基づく測定データＤ１を内部メモリ１３に順次記録させる。これにより、図８に示すように、「０７：０４」、「０７：０６」および「０７：０８」の測定データＤ１が第２領域Ａ２内にそれぞれ記録されると共に、第３領域Ａ３に記録する各測定データＤ１のうちの最初の測定データＤ１の測定時刻（この例では、「０７：１０」）を示す測定時刻データＤｔが第３領域Ａ３の第１レコードに記録され、かつ、「０７：１０」、「０７：１２」、「０７：１４」および「０７：１６」の測定データＤ１が第３領域Ａ３内にそれぞれ記録される。また、終了時刻である「０７：３０」が到来したとき、または、スタート／ストップスイッチが操作されたときに、制御部１８は、処理終了条件が満たされたと判別して（ステップ３６）、その時点において測定データＤ１の記録先としている領域Ａの空白のレコードに終端記号を記録して（ステップ３９）、この測定データ記録処理３０を終了する。
【００５７】
一方、上記した一連の測定処理によって測定データ記録装置１の内部メモリ１３に記録した測定データＤ１等を測定データ回収装置２によって回収する際には、まず、測定データ記録装置１と測定データ回収装置２とを通信可能状態に接続した後に（測定データ記録装置１の通信部１４と測定データ回収装置２の通信部２４との接続を確立した後に）、測定データ回収装置２の操作部２６を操作して、測定データＤ１等の回収処理の開始を指示する。この際に、測定データ回収装置２の制御部２８は、操作部２６から出力された操作信号に応じて、通信部２４を制御して測定データ記録装置１に送信要求信号Ｓ０を送信させる。また、測定データ記録装置１では、制御部１８が、通信部１４によって送信要求信号Ｓ０が受信されたときに、内部メモリ１３に記録されている測定データＤ１等を測定データ回収装置２に送信させる処理を開始する。具体的には、制御部１８は、送信要求信号Ｓ０が受信されたときに、上記の一例の測定処理によって記録させた測定条件データＤ０、各測定時刻データＤｔおよび各測定データＤ１を内部メモリ１３から読み出すと共に、読み出した各データＤ０，Ｄｔ，Ｄ１を通信部１４から測定データ回収装置２に送信させる。
【００５８】
この場合、測定データ記録処理３０の実行中に測定データ回収装置２から時刻補正データＤｔ０が送信されなかった上記例の測定処理の後に測定データ回収装置２から測定データ記録装置１に送信要求信号Ｓ０が送信されたときには、図４に示す例の測定条件データＤ０、各測定時刻データＤｔおよび各測定データＤ１が測定データ記録装置１から測定データ回収装置２に順次送信される。この際に、測定データ回収装置２では、制御部２８が、通信部２４によって受信された各データＤ０，Ｄｔ，Ｄ１を内部メモリ２３に記憶させると共に、これらの各データＤ０，Ｄｔ，Ｄ１に基づいて測定データＤ１０を生成してハードディスクドライブ２１に記録させる測定データ記録処理を開始する。この測定データ記録処理では、制御部２８は、まず、測定データ記録装置１から送信された測定条件データＤ０に基づいて、「温度測定」に関する測定処理を「０７：００」から「２分間隔」で「３０分」に亘って実行した測定処理に関するデータであると特定し、特定した情報を測定データＤ１０のヘッダ情報としてハードディスクドライブ２１に記録させる。
【００５９】
次いで、制御部２８は、測定条件データＤ０に基づいて特定した「２分間隔での測定処理」との事項、および測定データ記録装置１から最初に送信された測定時刻データＤｔ（この例では、内部メモリ１３における第１領域Ａ１の第１レコードに記録されていた測定時刻データＤｔ）に基づいて特定される「この測定時刻データＤｔの次に送信された測定データＤ１の測定時刻が０７：００である」との事項に基づき、最初の測定時刻データＤｔに続いて測定データ記録装置１から送信された４つの測定データＤ１（最初に送信された測定時刻データＤｔと、２番目に送信された測定時刻データＤｔとの間に送信された４つの測定データＤ１：この例では、内部メモリ１３における第１領域Ａ１の第２レコードから第５レコードまでに記録されていた４つの測定データＤ１）の測定時刻が、「０７：００」、「０７：０２」、「０７：０４」および「０７：０６」であると特定し、特定した時刻と、対応する測定データＤ１の値とを関連付けて、測定データＤ１０としてハードディスクドライブ２１にそれぞれ記録させる（測定データＤ１０の一部として追記させる）。
【００６０】
また、制御部２８は、２番目に送信された測定時刻データＤｔ（この例では、第２領域Ａ２の第１レコードに記録されていた測定時刻データＤｔ）に続いて送信された４つの測定データＤ１（この例では、第２領域Ａ２の第２レコードから第５レコードまでに記録されていた４つの測定データＤ１）の測定時刻が、「０７：０８」、「０７：１０」、「０７：１２」および「０７：１４」であると特定し、特定した時刻と、対応する測定データＤ１の値とを関連付けて、測定データＤ１０としてハードディスクドライブ２１にそれぞれ記録させる。同様にして、３番目に送信された測定時刻データＤｔ（この例では、第３領域Ａ３の第１レコードに記録されていた測定時刻データＤｔ）に続いて送信された４つの測定データＤ１（この例では、内部メモリ１３における第３領域Ａ３の第２レコードから第５レコードまでに記録されていた４つの測定データＤ１）の測定時刻について、「０７：１６」、「０７：１８」、「０７：２０」および「０７：２２」であると特定し、特定した時刻と、対応する測定データＤ１の値とを関連付けて、測定データＤ１０としてハードディスクドライブ２１にそれぞれ記録させる。
【００６１】
このように、測定条件データＤ０に基づいて特定した「２分間隔での測定処理」との事項、および測定時刻データＤｔに基づいて特定される「この測定時刻データＤｔの次に送信された測定データＤ１の測定時刻」に関する情報に基づき、各測定データＤ１の測定時刻がそれぞれ特定されて、各測定データＤ１の値に関連付けて測定データＤ１０としてハードディスクドライブ２１に記録される。これにより、測定データ記録装置１から測定データ回収装置２への測定データＤ１等の回収処理が完了する。
【００６２】
一方、測定データ記録装置１に遅れが生じていることに起因して測定データ記録処理３０の実行中に測定データ回収装置２から時刻補正データＤｔ０が送信された上記例の測定処理の後に測定データ回収装置２から測定データ記録装置１に送信要求信号Ｓ０が送信されたときには、図６に示す例の測定条件データＤ０、各測定時刻データＤｔおよび各測定データＤ１が測定データ記録装置１から測定データ回収装置２に送信される。この際に、測定データ回収装置２では、制御部２８が、最初に送信された測定時刻データＤｔ（この例では、第１領域Ａ１の第１レコードに記録されていた測定時刻データＤｔ）に続いて送信された２つの測定データＤ１（最初に送信された測定時刻データＤｔと、２番目に送信された測定時刻データＤｔとの間に送信された２つの測定データＤ１：この例では、第１領域Ａ１の第２レコードおよび第３レコードに記録されていた２つの測定データＤ１）の測定時刻が、「０７：００」および「０７：０２」であると特定し、特定した時刻と、対応する測定データＤ１の値とを関連付けて、測定データＤ１０としてハードディスクドライブ２１にそれぞれ記録させる。
【００６３】
また、制御部２８は、２番目に送信された測定時刻データＤｔ（この例では、第２領域Ａ２の第１レコードに記録されていた測定時刻データＤｔ）に続いて送信された４つの測定データＤ１（この例では、第２領域Ａ２の第２レコードから第５レコードまでに記録されていた４つの測定データＤ１）の測定時刻が、「０７：０８」、「０７：１０」、「０７：１２」および「０７：１４」であると特定し、特定した時刻と、対応する測定データＤ１の値とを関連付けて、測定データＤ１０としてハードディスクドライブ２１にそれぞれ記録させる。
【００６４】
この場合、この例では、「０７：０４」および「０７：０６」についての測定値が欠落することとなるが、上記のように各測定データＤ１の測定時刻を特定することにより、「０７：０８」に実行された測定処理の値が「０７：０４」に実行された測定処理の値であると誤って特定されたり、「０７：１０」に実行された測定処理の値が「０７：０６」に実行された測定処理の値であると誤って特定されたりする事態を招くことなく、各測定データＤ１の値が正確な測定時刻に関連付けられて測定データＤ１０として記録される。この後、他の測定データＤ１についても、上記の手順と同様の手順で測定時刻を特定し、特定した測定時刻を測定データＤ１の値に関連付けて測定データＤ１０としてハードディスクドライブ２１に記録させる。これにより、測定データ記録装置１から測定データ回収装置２への測定データＤ１等の回収処理が完了する。
【００６５】
また、測定データ記録装置１に進みが生じていることに起因して測定データ記録処理３０の実行中に測定データ回収装置２から時刻補正データＤｔ０が送信された上記例の測定処理の後に測定データ回収装置２から測定データ記録装置１に送信要求信号Ｓ０が送信されたときには、図８に示す例の測定条件データＤ０、各測定時刻データＤｔおよび各測定データＤ１が測定データ記録装置１から測定データ回収装置２に送信される。この際に、測定データ回収装置２では、制御部２８が、最初に送信された測定時刻データＤｔ（この例では、第１領域Ａ１の第１レコードに記録されていた測定時刻データＤｔ）に続いて送信された３つの測定データＤ１（最初に送信された測定時刻データＤｔと、２番目に送信された測定時刻データＤｔとの間に送信された３つの測定データＤ１：この例では、第１領域Ａ１の第２レコードから第４レコードまでに記録されていた３つの測定データＤ１）の測定時刻が、「０７：００」、「０７：０２」および「０７：０４」であると特定し、特定した時刻と、対応する測定データＤ１の値とを関連付けて、測定データＤ１０としてハードディスクドライブ２１にそれぞれ記録させる。
【００６６】
また、制御部２８は、２番目に送信された測定時刻データＤｔ（この例では、第２領域Ａ２の第１レコードに記録されていた測定時刻データＤｔ）に続いて送信された４つの測定データＤ１（この例では、第２領域Ａ２の第２レコードから第５レコードまでに記録されていた４つの測定データＤ１）の測定時刻が、「０７：０２」、「０７：０４」、「０７：０６」および「０７：０８」であると特定する。この場合、この例では、「０７：０２」および「０７：０４」の両測定時刻についての値が測定データＤ１０としてハードディスクドライブ２１に既に記録されている。したがって、制御部２８は、一例として、「０７：０２に測定された測定値の重複が生じています。いずれの測定値を採用しますか？  時刻補正処理の前に実行された測定処理の測定値／時刻補正処理の後に実行された測定処理の測定値」とのメッセージを表示部２７に表示させ、利用者に対して、いずれの測定値を採用するかを選択させる。
【００６７】
この際に、「時刻補正処理の前に実行された測定処理の測定値」が選択されたときには、制御部２８は、２番目に送信された測定時刻データＤｔの次に送信された測定データＤ１の値を消去する。また、「時刻補正処理の後に実行された測定処理の測定値」が選択されたときには、制御部２８は、ハードディスクドライブ２１に「０７：０２」の測定値として記録されている値を、２番目に送信された測定時刻データＤｔの次に送信された測定データＤ１の値で上書きする。同様にして、「０７：０４」の測定値についても、利用者に対して任意の測定値を選択させる。さらに、「０７：０６」および「０７：０８」の両測定時刻の測定値については、重複する測定値が存在しないため、測定データＤ１０としてハードディスクドライブ２１にそれぞれ記録させる。
【００６８】
なお、測定値に重複が生じたときには、「利用者に対して任意の測定値を選択させる処理」に限定されず、「時刻補正処理の前に実行された測定処理の測定値、および時刻補正処理の後に実行された測定処理の測定値の平均値を求めて対応する測定時刻の測定値とする処理」、「時刻補正処理の前に実行された測定処理の測定値を時刻補正処理の後に実行された測定処理の測定値で常に上書きする処理」、および「時刻補正処理の後に実行された測定処理の測定値を破棄して、時刻補正処理の前に実行された測定処理の測定値を常に採用する処理」などの各種の処理のうちから任意の処理を実行させることができる。この後、他の測定データＤ１についても、上記の手順と同様の手順で測定時刻を特定し、特定した測定時刻を測定データＤ１の値に関連付けて測定データＤ１０としてハードディスクドライブ２１に記録させることにより、測定データ記録装置１から測定データ回収装置２への測定データＤ１等の回収処理が完了する。
【００６９】
このように、この測定データ記録装置１では、測定データ記録処理３０において、測定部１１に測定処理を実行させる時間間隔を特定可能な「測定間隔データ（本例では、測定条件データＤ０）」を内部メモリ１３に記録させる「第１の処理」と、内部メモリ１３を区分けした複数の領域Ａのうちの１つを「記録対象領域」として、対応する測定データＤｓの測定部１１からの出力順を特定可能に測定データＤ１をその領域Ａに記録させる「第２の処理」と、「記録対象領域」としての領域Ａに記録された複数の測定データＤ１のうちで、対応する測定データＤｓの出力順が最も早い測定データＤ１の測定時刻を特定可能な測定時刻データＤｔを、その領域Ａに関連付けて内部メモリ１３に記録させる「第３の処理」とを実行すると共に、「記録対象領域」としての領域Ａの記録可能容量が予め規定された容量を下回ったとき、および時刻補正処理５０を実行したときに、複数の領域Ａのうちの測定データＤ１が未記録の１つを新たな「記録対象領域」として「第２の処理」および「第３の処理」を実行する。また、この測定データ記録システム１００では、上記の測定データＤ１記録装置と、測定データＤ１記録装置から各測定データＤ１を回収するための測定データ回収装置とを備えている。
【００７０】
したがって、この測定データ記録装置１および測定データ記録システム１００によれば、各測定データＤ１の測定時間間隔についての情報（測定データＤ１の基となる測定データＤｓの測定時間間隔：上記の例では、測定条件データＤ０に記録した「２分間隔」との情報）を記録すると共に、各測定データＤ１を記録する領域Ａ毎に、１つの測定時刻データＤｔを記録するだけで、各領域Ａに記録した複数の測定データＤ１の測定時刻をそれぞれ特定することができるため、測定処理の実行回数分の数多くの測定時刻データがメモリに記録される従来の監視システム（測定データ記録装置）とは異なり、例えば数分間隔で測定処理を実行させて数多くの測定値を記録させる場合においても、測定値の測定時刻を特定させるための情報の記録によって内部メモリ１３の記憶可能容量が過剰に減少することがないため、記憶容量が大きいメモリが不要となる結果、その製造コストを十分に低減することができる。また、これらの各データを測定データ回収装置２等に送信する場合には、測定値の測定時刻を特定させるための情報が少ないため、送信に要する時間を短縮することができる。さらに、各領域Ａに関連付けた測定時刻データＤｔ、および、各測定データＤ１の測定時間間隔についての情報に基づいて、各領域Ａ内に記録した全ての測定データＤ１の測定時刻をそれぞれ特定することにより、測定データ記録処理３０の実行中に時刻補正処理５０を実行したことに起因して、対応する測定データＤ１が存在しない測定時刻が生じたり、同一の測定時刻についての測定データＤ１の重複が生じたりしたとしても、すべての測定データＤ１についての測定時刻を正確に特定することができる。
【００７１】
また、この測定データ記録装置１によれば、Ｎ個（本例では、１個）のイレーズブロックで構成された各領域Ａに測定データＤ１を記録させることにより、測定時刻データＤｔや測定データＤ１を任意の領域Ａ内に記録する際に、その領域Ａ以外の領域Ａに記録されている測定時刻データＤｔや測定データＤ１についてのイレーズ処理を行うことなく、その任意の領域Ａ内に記録されている各データＤｔ，Ｄ１をイレーズするだけで、その領域Ａ内に新たな測定時刻データＤｔや測定データＤ１を確実に記録させることができる。
【００７２】
さらに、この測定データ記録装置１によれば、「第３の処理」に際して測定時刻データＤｔを「記録対象領域」としての領域Ａ内の予め規定されたアドレス（この例では、各領域Ａの第１レコード）に記録させることにより、測定時刻データＤｔを関連付けた領域Ａを特定可能な情報（関連付け情報）を別途記録することなく、各領域Ａに関連付けられている測定時刻データＤｔを確実に特定することができる。
【００７３】
また、この測定データ記録システム１００によれば、測定データ記録装置１に時刻補正データＤｔ０を送信可能に測定データ回収装置２を構成すると共に、測定データ回収装置２から時刻補正データＤｔ０が送信されたときに時刻補正処理５０を開始するように測定データ記録装置１を構成したことにより、例えば、測定データ回収装置２と、測定データ記録装置１に対して時刻補正データＤｔ０を送信して時刻補正処理５０を実行させる専用の装置（測定データ回収装置２以外の装置）とを別個に用意して構成した測定データ記録システムとは異なり、測定データ回収装置２を携行するだけで、測定データ記録装置１の時刻の補正、および測定データ記録装置１からの測定データＤ１等の回収の双方を実行することができる。
【００７４】
なお、測定データ回収処理において、測定データ記録装置１の通信部１４から送信された各データＤ０，Ｄｔ，Ｄ１を通信部２４によって受信して処理する例について説明したが、メモリカードＭを介して各データＤ０，Ｄｔ，Ｄ１を測定データ記録装置１から測定データ回収装置２に転送して上記の回収処理を実行することもできる。また、「測定データ記録装置」と「測定データ回収装置」とを通信ケーブルを介して相互に接続した状態において、「測定データ回収装置」から「測定データ記録装置」に時刻補正データＤｔ０や送信要求信号Ｓ０を送信したり、「測定データ記録装置」から「測定データ回収装置」に各データＤ０，Ｄｔ，Ｄ１を送信したりする構成を採用することもできる。さらに、「測定データ記録装置」および「測定データ回収装置」を公衆回線網等の各種ネットワークを介して相互に接続した状態において、ネットワークを介して、時刻補正データＤｔ０、送信要求信号Ｓ０および各データＤ０，Ｄｔ，Ｄ１等を送受信する構成を採用することもできる。
【００７５】
また、各領域Ａ内に記録された複数の測定データＤ１のうちの出力順が最も早い測定データＤ１の測定時刻に関する測定時刻データＤｔを、その測定データＤ１を記録した領域Ａの第１レコードに記録することで測定時刻データＤｔを領域Ａに関連付ける例について説明したが、測定データＤ１を記録する領域Ａとは別個に設けた領域に測定時刻データＤｔを記録すると共に、その測定時刻データＤｔに対応する測定データＤ１が記録されている領域Ａを特定可能な情報（関連付け情報）を別途記録することで、測定時刻データＤｔを領域Ａに関連付ける構成を採用することもできる。このような構成を採用した場合においても、上記の測定データ記録システム１００および測定データ記録装置１と同様にして、測定値の測定時刻を特定させるための情報の記録によって内部メモリ１３の記憶可能容量が過剰に減少する事態を招くことなく、各領域Ａに記録した複数の測定データＤ１の測定時刻を特定することができる。
【００７６】
さらに、測定データ記録処理３０において、処理終了条件が満たされたとき（ステップ３６）、および時刻補正処理５０を実行したときに、その時点において測定データＤ１の記録先としている領域Ａの空白のレコードに、その領域Ａ内に次の測定データＤ１が存在しないことを意味する終端記号を記録する処理（ステップ３９，４０）を実行する例について説明したが、このような処理に代えて、例えば、測定データ記録処理３０において領域Ａ内に測定データＤ１を記録するステップ３７の処理に先立って（または、測定データ記録処理３０の開始に先立って）領域Ａの少なくとも第２レコード２から第５レコード（測定データＤ１が記録されるレコード）に、測定データＤ１と区別可能なダミーデータを記録すると共に、ステップ３７において、このダミーデータを測定データＤ１に書き換えすることにより、ダミーデータが記録されているレコードには測定データＤ１が存在しないと特定させる構成を採用することもできる。
【００７７】
さらに、「パラメータ」として温度を測定する例について説明したが、これに限らず、電圧、電流、電力、気圧、水圧および照度などの各種の「パラメータ（測定対象パラメータ）」の測定に適用が可能である。また、「記録部」は、上記の測定データ記録装置１における内部メモリ１３のようなフラッシュメモリを有する記憶媒体に限定され内。例えば、ハードディスクドライブや、光ディスクドライブおよび光磁気ディスクドライブ等の各種記憶媒体で「記録部」を構成することができる。
【符号の説明】
【００７８】
１００  測定データ記録システム
１  測定データ記録装置
２  測定データ回収装置
１１  測定部
１２，２２  内部時計
１３，２３  内部メモリ
１４，２４  通信部
１５，２５  外部メモリ装着部
１８，２８  制御部
２１  ハードディスクドライブ
３０  測定データ記録処理
５０  時刻補正処理
Ａ１，Ａ２・・  第１領域、第２領域・・
Ｄ０  測定条件データ
Ｄ１，Ｄ１０，Ｄｓ  測定データ
Ｄｔ  測定時刻データ
Ｄｔ０  時刻補正データ
Ｄｔ１，Ｄｔ２  時刻データ
Ｓ０  送信要求信号
【図１】
2013152172.tif 000003
【図２】
2013152172.tif 000004
【図３】
2013152172.tif 000005
【図４】
2013152172.tif 000006
【図５】
2013152172.tif 000007
【図６】
2013152172.tif 000008
【図７】
2013152172.tif 000009
【図８】
2013152172.tif 000010